(57)【特許請求の範囲】
【請求項１】
板状のカードを挿脱可能なカードスロット；
このカードスロットを塞いでカードの挿入を規制する閉鎖位置と、該カードスロットの内方へ開いてカードの挿入を許容する開放位置とに回動可能で、自由状態で閉鎖位置に回動付勢された開閉ドア；及び
自由状態でこの開閉ドアを独立して前記閉鎖位置にロックし、カードスロットに正しく挿入されたカードによって押圧されたときそのロックを解除する、カードスロットの幅方向に離間させて設けられた一対のドアロック部材；
を備え、
前記開閉ドアは、前記カードスロットの幅方向に長い細長矩形の板状をなし、その長手方向に向かう軸を中心として前記閉鎖位置と前記開放位置に回動し、
前記一対のドアロック部材は、前記細長矩形の開閉ドアに、該開閉ドアの回動軸と直交する短手方向の軸を中心として回動可能に支持されており、この回動によってカードスロット内の固定部材に係脱して開閉ドアに対するロックまたはロック解除を行うことを特徴とするカード挿脱機構。
【請求項２】
請求項１記載のカード挿脱機構において、前記一対のドアロック部材はそれぞれ、前記開閉ドアに弾接し該ドアロック部材をロック方向に付勢する弾性変形可能な付勢部と一体に形成されているカード挿脱機構。
【請求項３】
板状のカードを挿脱可能なカードスロット；
このカードスロットを塞いでカードの挿入を規制する閉鎖位置と、該カードスロットの内方へ開いてカードの挿入を許容する開放位置とに回動可能で、自由状態で閉鎖位置に回動付勢された開閉ドア；及び
自由状態でこの開閉ドアを独立して前記閉鎖位置にロックし、カードスロットに正しく挿入されたカードによって押圧されたときそのロックを解除する、カードスロットの幅方向に離間させて設けられた一対のドアロック部材；
を備え、
前記開閉ドアは、前記カードスロットの幅方向の両側部に分けて配置され、前記閉鎖位置ではその延設方向がカード挿入方向に対して略直交になるように回動可能に支持された、一対の分割ドア部材を備えているカード挿脱機構。
【請求項４】
請求項３記載のカード挿脱機構において、前記一対のドアロック部材はそれぞれ、前記一対の分割ドア部材の一方と他方の近傍に、該分割ドア部材の回動軸と平行な軸を中心として回動可能に支持され、この回動によって対応する分割ドア部材に係脱してロックまたはロック解除を行うカード挿脱機構。
【請求項５】
請求項１から４いずれか１項記載のカード挿脱機構において、前記一対のドアロック部材は、カードスロットの幅方向の中心線に関して線対称に配置されており、カード挿入方向へ押圧されたとき互いに反対方向へ回動してロック解除するカード挿脱機構。
【請求項６】
請求項１から５いずれか１項記載のカード挿脱機構において、前記カードスロットは、デジタルカメラのカメラボディに形成されており、
前記カードは、このデジタルカメラで撮影した画像を記録するためのメモリカードであるカード挿脱機構。
【発明の詳細な説明】
【０００１】
【技術分野】
本発明は、電子機器のカード挿脱機構に関する。
【０００２】
【従来技術及びその問題点】
デジタルカメラの画像記録用のメモリカードなど、溝穴状のカードスロットに挿脱させるタイプのカードは、幅や厚みなどのサイズが異なる様々な種類のものが流通している。そのため特に、対応のサイズよりも小さいカードをカードスロットに誤って挿入してしまう可能性があり、その結果カードが抜けなくなったり、カードスロット内に設けたコネクタ部を破損してしまうことがあった。また、カード以外の異物を誤ってカードスロット内に入れてしまうことも多かった。
【０００３】
【発明の目的】
本発明は、以上の問題点に鑑みてなされたものであり、異物や対応しないサイズのカードの挿入を防ぐことができるカード挿脱機構を簡単な構成で提供することを目的とする。
【０００４】
【発明の概要】
本発明のカード挿脱機構は、板状のカードを挿脱可能なカードスロット；このカードスロットを塞いでカードの挿入を規制する閉鎖位置と、該カードスロットの内方へ開いてカードの挿入を許容する開放位置とに回動可能で、自由状態で閉鎖位置に回動付勢された開閉ドア；及び、自由状態でこの開閉ドアを独立して前記閉鎖位置にロックし、カードスロットに正しく挿入されたカードによって押圧されたときそのロックを解除する、カードスロットの幅方向に離間させて設けられた一対のドアロック部材；を備え、開閉ドアが、カードスロットの幅方向に長い細長矩形の板状をなし、その長手方向に向かう軸を中心として前記閉鎖位置と前記開放位置に回動し、この細長矩形の開閉ドア上に、一対のドアロック部材が、該開閉ドアの回動軸と直交する短手方向の軸を中心として回動可能に支持されており、各ドアロック部材がこの回動によってカードスロット内の固定部材に係脱して開閉ドアに対するロックまたはロック解除を行うことを特徴としている。このカード挿脱機構によれば、一対のドアロック部材を、カードスロットの幅方向に離間して設置したため、離間する両ドアロック部材がカード挿入方向へ同時に押圧されてロック解除したときにのみカードスロットへのカード挿入が可能になる。つまり、一対のドアロック部材の間隔よりも幅狭なカードあるいは異物をカードスロット内に挿入しようとしても、少なくとも一方のドアロック部材のロック状態は維持されるので、こうした幅狭なカードや異物のカードスロット内への挿入動作は、閉鎖位置にある開閉ドアによって阻止される。また、一対のドアロック部材が開閉ドア上に支持されているため、ドアロック部材をスペース効率よく配置でき、かつ開閉ドアとドアロック部材の間で動作ずれが生じるおそれがない。
【０００５】
一対のドアロック部材のそれぞれに、開閉ドアに弾接して該ドアロック部材をロック方向に付勢する弾性変形可能な付勢部を一体に形成すれば、部品点数を少なく抑えることができる。
【０００６】
本発明のカード挿脱機構はまた、板状のカードを挿脱可能なカードスロットと、このカードスロットを塞いでカードの挿入を規制する閉鎖位置と該カードスロットの内方へ開いてカードの挿入を許容する開放位置とに回動可能で、自由状態で閉鎖位置に回動付勢された開閉ドアと、自由状態でこの開閉ドアを独立して閉鎖位置にロックし、カードスロットに正しく挿入されたカードによって押圧されたときそのロックを解除する、カードスロットの幅方向に離間させて設けられた一対のドアロック部材とを備え、開閉ドアを、カードスロットの幅方向の両側部に分けて配置され、閉鎖位置ではその延設方向がカード挿入方向に対して略直交になるように回動可能に支持された、一対の分割ドア部材を備えた構成とすることも可能である。この場合、一対のドアロック部材をそれぞれ、この一対の分割ドア部材の一方と他方の近傍に、該分割ドア部材の回動軸と平行な軸を中心として回動可能に支持し、この回動によって対応する分割ドア部材に係脱してロックまたはロック解除するように構成することが好ましい。
【０００７】
一対のドアロック部材は、カードスロットの幅方向の中心線に関して線対称に配置されており、カード挿入方向へ押圧されたとき互いに反対方向へ回動してロック解除するように構成することが好ましい。
【０００８】
以上のカード挿脱機構は、例えばデジタルカメラのメモリカード挿脱機構とすることができる。
【０００９】
【発明の実施の形態】
以下、図示実施形態に基づいて本発明を説明する。図１から図６に示す実施形態は、本発明をデジタルカメラ１０のメモリカード挿脱用の機構として適用したものであるが、本発明のカード挿脱機構はデジタルカメラ用に限定されるものではない。
【００１０】
デジタルカメラ１０は、カメラボディ１２の前面に撮影レンズ１４を有しており、撮影レンズ１４による被写体画像はＣＣＤ１６上に結像され、画像処理回路１８を介してデジタル画像データとして処理される。このデジタル画像データは、制御回路１９を介して、カメラボディ１２内の内蔵メモリ２０やカメラボディ１２に挿脱可能なメモリカード２２のＩＣメモリチップに記録される。カメラボディ１２の背面には液晶表示器２３が設けられており、撮影レンズ１４によりＣＣＤ１６上に形成された被写体画像や、内蔵メモリ２０またはメモリカード２２から読み出したメモリ画像を表示することができる。
【００１１】
図１に現れているカメラボディ１２の一側には、該カメラボディ１２内にメモリカード２２を挿脱させるためのカードスロット２４が形成されている。カードスロット２４は、メモリカード２２の幅と厚みと挿入長に対応した幅、高さ、奥行きを有する溝状部であり、その開口２４ａをカメラボディ１２の側面に臨ませている。図５と図６に示すように、カードスロット２４の長手方向の幅ＳＷ１と短手方向の高さＨはそれぞれ、対応するメモリカード２２の幅ＣＷ１と厚さＴよりも若干大きい。また、カードスロット２４の最奥部には、メモリカードカード２２のコネクタ部２２ａ（図２）に対して係合可能な複数のコネクタピン２５（図２）が設けられている。
【００１２】
カードスロット２４内には、ロック機構を備えた開閉ドア３０が設けられている。開閉ドア３０は、カードスロット２４を塞ぐことが可能な、細長矩形の板状のドア本体３２を備え、このドア本体３２の両端付近に略円筒状をなす一対の回動支持部３４が形成されている。各回動支持部３４の軸挿通孔３４ａには、ドア本体３２の長手方向へ延びる回動軸３６が挿通されている。回動軸３６の両端部はカメラボディ１２に支持されており、ドア本体３２は、この回動軸３６を中心として、カードスロット２４を塞ぐ閉鎖位置（図６に実線で示す位置）と、カードスロット２４の内方に向けて開いた開放位置（図６に二点鎖線で示す位置）とに回動可能に支持される。図１及び図６に示すように、カードスロット２４内には、ドア本体３２が閉鎖位置からさらにカメラボディ１２の外方に向けて回動しないように係止するストッパ３８が設けられている。
【００１３】
各回動支持部３４内には、回動軸３６と同心状に巻回されたコイル状のドア付勢ばね４０が設けられている。ドア付勢ばね４０は、その一端部がドア本体３２に係合し、他端部がカメラボディ１２（図６のカメラボディ１２上部）に係合しており、ドア本体３２を前記の閉鎖位置に回動させる方向へ付勢している。
【００１４】
ドア本体３２には、カードスロット２４の幅方向に沿ったその長手方向に所定の間隔をおいて、一対のドアロック部材収納孔４２が形成されている。ドアロック部材収納孔４２はドア本体３２の長手方向に長い矩形の貫通孔であり、ドア本体３２には、それぞれのドアロック部材収納孔４２の一対の長辺部に臨むように計４つの軸挿通孔４４が形成されている。各ドアロック部材収納孔４２に対応する一対の軸挿通孔４４は、ドア本体３２の短手方向に向けて一直線上に位置している。
【００１５】
ドア本体３２に設けた一対のドアロック部材収納孔４２内にはそれぞれ、回動軸４６を介してドアロック部材５０が回動可能に支持される。この一対のドアロック部材５０は、ドア本体３２の長手方向の中心線に関して対称の位置に支持されており、互いの形状が同中心線に関して対称となるように形成されている点を除けば、共通の構造を有している。
【００１６】
各ドアロック部材５０は、ドア本体３２側の軸挿通孔４４に対応する軸挿通孔５２を備えており、この軸挿通孔５２とドア本体３２側の軸挿通孔４４に回動軸４６（図４、図５）を挿通することで、それぞれのドアロック部材５０は、ドア本体３２に対して回動軸４６を中心として回動可能に支持される。
【００１７】
各ドアロック部材５０は、軸挿通孔５２を備える筒状部５４と、この筒状部５４からそれぞれ異なる方向に延設された被押圧腕部５６とロック腕部５８を有している。ドア本体３２のうち、閉鎖位置でカメラボディ１２外方に臨む面を表面、同閉鎖位置でカードスロット２４の内方に臨む面を裏面と定義した場合、被押圧腕部５６はドア本体３２の表面側に突出し、反対にロック腕部５８はドア本体３２の裏面側に突出するよう、各ドアロック部材５０がドア本体３２に支持される。被押圧腕部５６は、その途中でドア本体３２に近くなる方向へ屈曲された「く」字状になっている（図４、図５参照）。一方、ロック腕部５８は、その途中でドア本体３２の短手方向に向けて屈曲され、先端に係合部６０が設けられている。
【００１８】
開閉ドア３０上の一対のドアロック部材５０は、互いの被押圧腕部５６の間隔が、挿脱可能とするメモリカード２２の幅ＣＷ１に対応するように位置されている。すなわち、カードスロット２４に、対応する幅のメモリカード２２を正しく挿入したときにのみ、メモリカード２２によって一対の被押圧腕部５６が同時に押圧されるようになっている。
【００１９】
各ドアロック部材５０の筒状部５４内には、回動軸４６と同心状に巻回されたドアロック部材付勢ばね６２が設けられている。このドアロック部材付勢ばね６２は、その一端部がドアロック部材５０に係合し、他端部がドア本体３２に係合しており、被押圧腕部５６の先端部がドア本体３２から離れるような回動方向にそれぞれのドアロック部材５０を付勢している。つまり、図４及び図５における下側のドアロック部材５０は時計方向に回動付勢され、同図の上側のドアロック部材５０は反時計方向に回動付勢されている。
【００２０】
カードスロット２４内には、ドアロック部材５０の係合部６０が係合可能な一対の固定突起６４が突設されている。図６に示すように、固定突起６４はメモリカード２２の挿入方向と略直交する方向に突設された円柱状の突起であり、メモリカード２２の挿入動作を妨げないように、カードスロット２４の開口２４ａの延長上から一段低い位置に設けられている。前述したように、各ドアロック部材５０のロック腕部５８は、その途中でドア本体３２の短手方向に沿って屈曲されており、低い位置に設けた固定突起６４に係合部６０を係合させることができるようになっている（図６参照）。図４に示すように係合部６０と固定突起６４が係合するときには、この係合関係によって、一対のドアロック部材５０のカードスロット２４内方への移動が規制される。そのため、該一対のドアロック部材５０を支持するドア本体３２のみを押し込んだとしても、カードスロット２４内方へ向けて開閉ドア３０を開くことができない。
【００２１】
なお、図４から図６に示すように、開閉ドア３０は、カードスロット２４の開口２４ａから若干奥まった位置に支持されており、カメラボディ１２の側面からドアロック部材５０の被押圧腕部５６が突出することはない。
【００２２】
以上の構成によるカード挿脱機構の作用を説明する。カードスロット２４にメモリカード２２を挿入していない自由状態では、開閉ドア３０は図４の状態にある。図４では、開閉ドア３０は一対のドア付勢ばね４０によって、ドア本体３２がストッパ３８に当接する閉鎖位置に保持されている。また、ドアロック部材５０は、ドアロック部材付勢ばね６２によって係合部６０をカメラボディ１２内の固定突起６４に係合させる位置（ロック位置）に保持されている。この状態では、ドアロック部材５０を押さずにドア本体３２のみをカメラボディ１２内方に押し込もうとしても、同方向へのドアロック部材５０の移動が係合部６０と固定突起６４の係合によって規制されるため、開閉ドア３０をカメラボディ１２内方に向けて開くことができない。また、一対のドアロック部材５０のうち一方のみをカード挿入方向に押圧してロック状態を解除させたとしても、他方のドアロック部材５０側のロック状態が維持されているため、やはり開閉ドア３０を開くことができない。
【００２３】
すなわち、一対の被押圧腕部５６の間隔よりも狭い幅のカードや異物をカードスロット２４に挿入させようとした場合には、一対の被押圧腕部５６が同時に押圧されることはなく、少なくとも一方のドアロック部材５０においてロック状態が維持されるので、開閉ドア３０を開くことができない。逆に、カードスロット２４よりも幅広のカードでは、カメラボディ１２に干渉するのでカードスロット２４内に挿入することができない。
【００２４】
図５はデジタルカメラ１０に対応した大きさのメモリカード２２を挿入する場合を示している。このメモリカード２２の幅ＣＷ１は、カメラボディ１２と干渉することなくカードスロット２４内に挿入でき、かつ一対の被押圧腕部５６を同時に押圧できるような幅である。従って、メモリカード２２の正しい押し込み動作によって、一対のドアロック部材５０がドアロック部材付勢ばね６２の付勢力に抗してロック解除方向に回動され、それぞれの係合部６０がカメラボディ１２内の固定突起６４との係合位置から退避する（図５）。なお、図５に明らかなように、一対のドアロック部材５０のロック解除方向の回動は、互いに反対方向の回動となる。
【００２５】
さらにメモリカード２２の押し込み動作を続けると、ロック解除された開閉ドア３０が、ドア付勢ばね４０の付勢力に抗して図６に二点鎖線で示すように回動軸３６を中心に回動してカートスロット２４内方へ開き、メモリカード２２をカードスロット２４内に収納することができる。メモリカード２２がカードスロット２４の最奥まで挿入されると、メモリカード２２側のコネクタ部２２ａがデジタルカメラ１０側のコネクタピン２５に係合する。このメモリカード２２の挿入状態では、該メモリカード２２によって開閉ドア３０は内方に開いた状態に保たれ、ドアロック部材５０はロック解除位置に保持される。
【００２６】
カメラボディ１２からメモリカード２２を引く抜く時には、ドアロック部材５０の被押圧腕部５６がドアロック部材付勢ばね６２の付勢力によってメモリカード２２に当接しつつ、開閉ドア３０がドア付勢ばね４０の付勢力によって閉鎖位置に向かって移動する。メモリカード２２がカードスロット２４から完全に引き抜かれると、ドアロック部材５０はロック位置に復帰し、開閉ドア３０が閉鎖位置に戻り、図４の状態に戻る。
【００２７】
以上の説明から明らかなように、本実施形態のカード挿脱機構では、デジタルカメラ１０に対応するメモリカード２２よりも幅狭なカードや異物の挿入動作によっては、開閉ドア３０のロックが解除されないので、これら幅狭なカードや異物がカードスロット２４に入ってしまう不具合を避けることができる。また、適正な幅のメモリカード２２であっても、正しい挿入方向でなく、傾いて挿入しようとした場合には、一対のドアロック部材５０のロックを共に解除させることはできないので、カードスロットに挿入することはできない。さらに、本実施形態では、適正なメモリカード２２よりも一定以上幅広なカードや異物を挿入しようとした場合には、カメラボディ１２に干渉するためカードスロット２４へ挿入できない。よって、意図的に両ドアロック部材５０のロック解除を行うような操作を行わない限り、適正サイズのメモリカード２２を正しい挿入方向で挿入するときにのみ、カードスロット２４への挿入が許されることになる。
【００２８】
図７及び図８は、ドアロック部材の異なる実施形態を示す。この実施形態は、一対のドアロック部材７０の構成が先のドアロック部材５０と異なる以外は、基本的に図１から図６の実施形態と共通している。この一対のドアロック部材７０はそれぞれ、前述のドアロック部材５０と同様に、回動軸４６’によってドア本体３２’に回動可能に支持されている。以下は、一方のドアロック部材７０についてのみ説明するが、一対のドアロック部材７０はドア本体３２’の長手方向において対称となるように形成されている点を除けば、共通の構造である。なお、図８では一方のドアロック部材７０のみを図示している。
【００２９】
ドアロック部材７０には、回動軸４６’を挿通させる軸保持溝７１が設けられている。ドアロック部材７０は、ドアロック部材５０と同様に、それぞれ異なる方向に延出させた被押圧腕部７２とロック腕部７４を備え、被押圧腕部７２はドア本体３２’からカメラ外方に向けて突出し、ロック腕部７４はドア本体３２’からカードスロット内方に向けて突出されている。ロック腕部７４は、ドアロック部材７０の回動に応じて、その先端の係合部７５をカメラ本体内の固定突起６４’に係脱させることができる。ドアロック部材７０にはさらに、ロック腕部７４と略直交する方向に延設された弾性腕部７８を備えている。板状の弾性腕部７８は、その板面と直交する方向に一定量の弾性変形が可能なように、薄肉に形成されている。ドアロック部材７０では、以上の各構成要素が一体に形成されている。
【００３０】
ロック腕部７４が固定突起６４’に係合するようにしてドアロック部材７０をドア本体３２’に組み付けると、弾性腕部７８は、図７の矢印Ａ方向に若干弾性変形され、その先端部がドア本体３２’に密着する。この弾性腕部７８が復元しようとすることによって、一対のドアロック部材７０にはそれぞれ矢印Ａ方向への力が加わるが、ロック腕部７４と固定突起６４’の係合によって、矢印Ａ方向へのそれ以上の回動が規制されているので、図７の状態が保たれる。
【００３１】
ここで、一対の被押圧腕部７２の間隔に対応した幅のメモリカード２２’をカードスロット２４’に挿入する動作を行うと、該メモリカード２２’の先端部が一対の被押圧腕部７２を同時に押し込み、各ドアロック部材７０は、弾性腕部７８の弾性変形量を大きくしながら図７の矢印Ａ方向と反対方向に回動される。この一対のドアロック部材７０の回動動作に応じてロック腕部７４の先端の係合部７５と固定突起６４’の係合が解除されて、ドア本体３２’をカードスロット２４’の内方へ開くことが可能になるので、メモリカード２２’の挿入動作を継続するとドア本体３２’が開かれる。
【００３２】
以上の図７及び図８に係る実施形態でも、対応しない幅のカードや異物の挿入動作では、一対のドアロック部材７０を同時にロック解除方向に押圧することはできないので、こうした対応しないカードや異物がカードスロット２４’内に入ってしまうのを防ぐことができる。また、適正なメモリカード２２’であっても、挿入方向が正しくない場合には同様に挿入が規制される。特にこの実施形態では、ドアロック部材７０をロック方向に付勢するための付勢手段、すなわち弾性腕部７８がドアロック部材７０と一体に形成されているので、部品点数を少なくすることができる。
【００３３】
なお、以上述べてきた２つの実施形態において、ドア本体（３２、３２’）の長手方向中心線に平行で各ドアロック部材（５０、７０）を支持する回動軸（４６）の中心を通る線に対する固定突起（６４、６４’）の図４、図５及び図７における平面位置は、ロック解除側と逆の側に位置している。換言すれば、図４、図５及び図７において、図中上側の固定突起（６４、６４’）は、対応するドアロック部材（５０、７０）の回動軸（４６）よりも図中上側（ドア本体３２、３２’の一側部側）に位置しており、図中下側の固定突起（６４、６４’）は、対応するドアロック部材（５０、７０）の回動軸（４６）よりも図中下側（ドア本体３２、３２’の他側部側）に位置している。このように構成することにより、ドア本体を押したときに、ロック解除方向のトルクが発生しないようにしている。
【００３４】
図９から図１１は、カード挿脱機構のさらに異なる実施形態を示す。この実施形態のカメラボディ１１２に形成したカードスロット１２４は、各図中の上下方向にその長手方向を向けている。このカードスロット１２４の開口１２４ａの長手方向の幅ＳＷ２は、対応する適切なメモリカード１２２の幅ＣＷ２よりわずかに大きい（図１０参照）。
【００３５】
カードスロット１２４内には、回動軸８１を中心として回動可能なシャッタ８０が設けられている。シャッタ８０は、図９及び図１０に実線で示す位置にあるときにはカードスロット１２４を塞ぎ、２点鎖線で示す位置まで回動されると開放されるもので、図示しないばねとストッパによって、カードスロット１２４を塞ぐ方向に回動付勢され、かつ閉塞姿勢に維持されている。但し、シャッタ８０は、前述の開閉ドア３０とは異なりロック機構は有していない。
【００３６】
カードスロット１２４のさらに内方には、ロック機構を有する開閉ドア８２が設けられている。この開閉ドア８２は、カードスロット１２４の両側に配した一対の分割ドア部材８２Ａ、８２Ｂで構成されており、分割ドア部材８２Ａ、８２Ｂはそれぞれ、細長のカードスロット１２４の短手方向（図９及び図１０の紙面と直交する方向）に軸線を向けた回動軸８３により回動可能に支持されている。分割ドア部材８２Ａ、８２Ｂは、カードスロット１２４の長手方向（幅ＳＷ２方向）の中心線に関して互いに略対称となるように構成されており、それぞれがカードスロット１２４へのメモリカード１２２の挿入方向と略直交する方向に延びる閉鎖位置（図９）と、メモリカード１２２の挿入方向と略平行となる開放位置（図１０）の間で回動される。カメラボディ１１２内には、この閉鎖位置で各分割ドア部材８２Ａ、８２Ｂに係合する一対の規制突起８４と、開放位置で各分割ドア部材８２Ａ、８２Ｂに係合する一対の規制突起８６とが突設されている。
【００３７】
分割ドア部材８２Ａ、８２Ｂはそれぞれ、ドア付勢ばね８８によって図９に示す閉鎖位置に向けて回動付勢されている。なお、分割ドア部材８２Ａと８２Ｂは、閉鎖位置にあるときに互いの先端が重なる長さを有しているが、図１１に示すように、分割ドア部材８２Ａはその先端部にスリット８９が形成され、分割ドア部材８２Ｂの先端部は、このスリット８９内に進入可能なように薄肉に形成されており、分割ドア部材８２Ａと８２Ｂは互いに干渉することなく閉鎖位置まで回動することができる。
【００３８】
分割ドア部材８２Ａ、８２Ｂの近傍には、ロックレバー９０Ａ、９０Ｂ（ドアロック部材）がそれぞれ回動軸９２を中心として回動可能に支持されている。ロックレバー９０Ａ、９０Ｂはそれぞれ分割ドア部材８２Ａ、８２Ｂに対応して設けられたもので、カードスロット１２４の長手方向の中心線に関して対称の形状となっている点以外の実質的な構成は同じであるから、以下では一方のロックレバー９０Ａのみについてその構成と作用を説明する。
【００３９】
ロックレバー９０Ａは、回動軸９２付近で屈曲された「く」字状をなし、回動軸９２を挟んで、一端部に被押圧部９４を有し、他端部に円柱状のロックピン９６を有している。被押圧部９４には、ロックレバー９０Ａの回動動作に応じてカードスロット１２４内に突出する状態（図９）とカードスロット１２４の側壁面と略平行になる状態（図１０）とに変化するように、傾斜面９４ａが形成されている。一方、ロックピン９６は、図９に示すロックレバー９０Ａの回動位置では分割ドア部材８２Ａに設けた段部９８に係合して、同分割ドア部材８２Ａの開放方向への回動を規制し、図１０に示すロックレバー９０Ａの回動位置では段部９８との係合位置から退避して分割ドア部材８２Ａの開放方向への回動を許す。ロックレバー９０Ａは、図９の回動位置、すなわちロックピン９６が分割ドア部材８２Ａの開放方向への回動を規制する方向に、ロックレバー付勢ばね１００によって回動付勢されている。
【００４０】
以上の構成による本実施形態のカード挿脱機構の作用を説明する。カードスロット１２４に適切なサイズのメモリカード１２２を挿入すると、メモリカード１２２に押されてシャッタ８０が内方に開かれ、メモリカード１２２先端の両側部が一対のロックレバー９０Ａ、９０Ｂのそれぞれの被押圧部９４に当接する。メモリカード１２２の挿入動作によって被押圧部９４が押し込まれると、ロックレバー付勢ばね１００の付勢力に抗してロックレバー９０Ａ、９０Ｂはそれぞれロック解除方向に回動され、分割ドア部材８２Ａ、８２Ｂに対する開放方向への回動規制が解除される。さらにメモリカード１２２の挿入動作を継続すると、その先端部が分割ドア部材８２Ａ、８２Ｂに当接してカードスロット１２４の内方に押し込む。ここで、分割ドア部材８２Ａ、８２Ｂに対するロックは解除されているので、メモリカード１２２の挿入に応じて分割ドア部材８２Ａ、８２Ｂはそれぞれ、ドア付勢ばね８８の付勢力に抗して開放方向に回動され、図１０に示すようにカードスロット１２４の最奥部までメモリカード１２２を挿入できる。
【００４１】
反対に、メモリカード１２２をカードスロット１２４から抜き取ると、各ドア付勢ばね８８の付勢力によって分割ドア部材８２Ａ、８２Ｂは図９の閉鎖位置に戻り、ロックレバー９０Ａ、９０Ｂも各ロックレバー付勢ばね１００の付勢力によって図９のロック位置に戻る。また、シャッタ８０もカードスロット１２４を塞ぐ位置に復帰する。
【００４２】
また、メモリカード１２２よりも幅狭のカードや異物をカードスロット１２４に挿入しようとした場合は次のようにして挿入を阻止することができる。すなわち、幅狭のカードは、一対のロックレバー９０Ａ、９０Ｂの被押圧部９４を同時に押圧することができず、そのいずれにも当接しないか、一方の被押圧部９４のみを押圧した状態で分割ドア部材８２Ａ、８２Ｂに当接する。つまり、ロックレバー９０Ａ、９０Ｂのうち少なくとも一方についてはロック解除位置に移動されていないので、ロック解除されていない分割ドア部材８２Ａ、８２Ｂを押圧しても、カードスロット１２４の内方へ開かせることはできない。これにより、対応しない幅狭なカードや異物を誤ってカードスロット１２４内に挿入してしまうことを避けることができる。また、適正なメモリカード１２２であっても、挿入方向が正しくない場合には挿入が規制される。
【００４３】
以上から明らかなように、各実施形態のカード挿脱機構では、カードスロットを塞ぐ開閉ドアをロックする一対のドアロック部材を、カードの幅方向に離間して設け、対応する幅のカードを正しく挿入したときのみ、該挿入動作によって一対のドアロック部材のロックが共に解除されるように構成したので、一対のドアロック部材の間隔よりも幅狭なカードや異物をカードスロットに挿入しようとしても、少なくとも一方のドアロック部材はロック状態が維持され、これら幅狭なカードや異物の挿入を阻止することができる。
【００４４】
但し、本発明は図示実施形態に限定されるものではない。例えば、前述したように、本発明はデジタルカメラのメモリカード挿脱用以外の用途、例えば、ノートパソコン等の携帯端末機器のＰＣカードスロットにも適用することができる。
【００４５】
【発明の効果】
以上のように本発明によれば、異物や対応しないサイズのカードの挿入を防ぐことができるカード挿脱機構を簡単な構成で得ることができる。
【図面の簡単な説明】
【図１】本発明のカード挿脱機構の一実施形態、及びこの実施形態に係るカード挿脱機構を搭載したデジタルカメラの一部を、斜め後方から見た斜視図である。
【図２】図１のデジタルカメラの回路構成の概略を示すブロック図である。
【図３】図１における開閉ドアの構成部品の分解斜視図である。
【図４】開閉ドアのロック状態をカメラ後方から見た図である。
【図５】開閉ドアのロック解除状態をカメラ後方から見た図である。
【図６】開閉ドアの開閉状態を説明するための、図１の矢印VI方向から見た図である。
【図７】開閉ドアのドアロック部材の異なる実施形態を示す、カメラ後方から見た図である。
【図８】図７のドアロック部材のうち一方の斜視図である。
【図９】カード挿脱機構のさらに異なる実施形態における、ドアロック状態を表す図である。
【図１０】図９のカード挿脱機構のカード挿入状態を表す図である。
【図１１】図９及び図１０のカード挿脱機構の要部を示す斜視図である。
【符号の説明】
１０  デジタルカメラ
１２  １１２  カメラボディ
２２  ２２’  １２２  メモリカード
２４  ２４’  １２４  カードスロット
３０  ８２  開閉ドア
３２  ３２’  ドア本体
３６  ８３  回動軸（開閉ドア側）
４０  ８８  ドア付勢ばね
５０  ７０  ドアロック部材
４６  ４６’  ９２  回動軸（ドアロック部材側）
５６  ７２  被押圧腕部
５８  ７４  ロック腕部
６０  ７５  係合部
６２  ドアロック部材付勢ばね
６４  ６４’  固定突起
７１  軸保持溝
７８  弾性腕部
８２Ａ  ８２Ｂ  分割ドア部材
８９  スリット
９０Ａ、９０Ｂ  ロックレバー
９４  被押圧部
９４ａ  傾斜面
９６  ロックピン
９８  段部
１００  ロックレバー付勢ばね
【図１】
0003638232.tif 000002
【図２】
0003638232.tif 000003
【図３】
0003638232.tif 000004
【図４】
0003638232.tif 000005
【図５】
0003638232.tif 000006
【図６】
0003638232.tif 000007
【図７】
0003638232.tif 000008
【図８】
0003638232.tif 000009
【図９】
0003638232.tif 000010
【図１０】
0003638232.tif 000011
【図１１】
0003638232.tif 000012